(57)【特許請求の範囲】
【請求項１】
天井等の被取付部に取り付けられる装置本体に着脱自在に取り付けられ、前記装置本体と電気的に接続される光源ユニットであって、
基板及び前記基板に実装された発光素子を有する発光体と、
前記発光体が底部に取り付けられるフレーム部材と、
前記発光体を覆うように前記フレーム部材の両側端に取り付けられるカバー部材と、
を備え、
前記フレーム部材は、前記底部から前記カバー部材に向かって突出し、前記カバー部材に覆われる補強部を有する、光源ユニット。
【請求項２】
前記フレーム部材は長尺状に形成され、前記底部は矩形であり、
前記補強部は、前記底部の長手方向の対向する側辺のそれぞれから前記カバー部材側へ延びる一対のフレーム起立部と、それぞれの前記フレーム起立部の先端から互いに離れる方向に形成されたフレーム傾斜部とを備えた請求項１に記載の光源ユニット。
【請求項３】
前記フレーム起立部は、互いに対向するように設けられている請求項２に記載の光源ユニット。
【請求項４】
前記フレーム傾斜部は、前記底部の短手方向において、前記カバー部材側の面が前記底部に対して鋭角に形成されており、前記フレーム傾斜部の傾斜面は外側に向いている請求項２又は３に記載の光源ユニット。
【請求項５】
前記フレーム部材は長尺状に形成され、前記底部は矩形であり、
前記補強部は、前記底部の短手方向における略中央から前記カバー部材側に向かって突出し、前記カバー部材に覆われるフレーム起立部を有し、
前記発光体が、前記フレーム起立部の両側に配置された請求項１に記載の光源ユニット。
【請求項６】
前記フレーム起立部は、前記底部に形成された凹部として構成される請求項５に記載の光源ユニット。
【請求項７】
前記発光体に点灯電力を供給する電源装置を更に備え、
前記凹部に前記電源装置を設置する請求項６に記載の光源ユニット。
【請求項８】
前記カバー部材は、前記フレーム部材と前記カバー部材との間の空間に前記発光体を覆うように内側カバー部を有する請求項１〜６のいずれか１項に記載の光源ユニット。
【請求項９】
前記カバー部材は、短手方向に円弧形状に形成されたカバー正面部と、前記カバー正面部の長手方向の対向する側辺のそれぞれから前記底部側へ突出する一対のカバー側部と、それぞれの前記カバー側部の端部より互いに近づくように形成されているカバー底部とを有し、
前記カバー底部は、前記フレーム部材の長手方向の対向するそれぞれの長手側端部と係合する請求項２〜８のいずれか１項に記載の光源ユニット。
【請求項１０】
請求項１〜９のいずれか１項に記載の光源ユニットを備えた照明装置。
【発明の詳細な説明】
【技術分野】
【０００１】
本発明は、光源ユニット及び照明装置に関するものである。
【背景技術】
【０００２】
従来より、長尺状の光源ユニットと、この光源ユニットの一部が挿入される凹部を有する装置本体とを備える照明装置であって、光源ユニットが装置本体に着脱自在に取り付けられる照明装置が提供されている（例えば、特許文献１）。
【先行技術文献】
【特許文献】
【０００３】
【特許文献１】特開２０１４−０７８５１１号公報
【発明の概要】
【発明が解決しようとする課題】
【０００４】
特許文献１の照明装置は、基板が取り付けられる面と反対方向に突設した光源ユニットのフレーム側面が設けられていることで、光源ユニットの剛性が確保されている。しかしながら、特許文献１に記載の照明装置は、カバーがフレーム側面に当接して固定される。そのため、光源ユニットは、剛性を得るためにフレームを天井の取り付け面方向に大きくする必要があり、天井からの突出量が大きくなる。
【０００５】
本発明は、上記のような課題を解決する為になされたもので、天井からの突出量を低く抑え、薄型化及び小型化されると共に剛性が確保された光源ユニット及び照明装置を提供するものである。
【課題を解決するための手段】
【０００６】
本発明に係る光源ユニットは、天井等の被取付部に取り付けられる装置本体に着脱自在に取り付けられ、装置本体と電気的に接続される光源ユニットであって、基板及び基板に実装された発光素子を有する発光体と、発光体が底部に取り付けられるフレーム部材と、発光体を覆うようにフレーム部材の両側端に取り付けられるカバー部材と、を備え、フレーム部材は、底部からカバー部材に向かって突出し、カバー部材に覆われる補強部を有するものである。
【発明の効果】
【０００７】
本発明の光源ユニット及び照明装置は、フレーム部材が、底部からカバー部材側に突出する補強部を有するものである。その結果、フレーム部材は、長手方向の撓みを抑制できるだけの縦弾性係数を確保することができ、光源ユニット及び照明装置は、薄型化及び小型化すると共に剛性を確保することができる。
【図面の簡単な説明】
【０００８】
【図１】本発明の実施の形態１に係る照明装置の斜視図である。
【図２】本発明の実施の形態１に係る照明装置の分解斜視図である。
【図３】本発明の実施の形態１に係る照明装置の装置本体の斜視図である。
【図４】本発明の実施の形態１に係る照明装置の図１におけるＡ−Ａ′断面図である。
【図５】本発明の実施の形態１に係る照明装置に使用されるバネの斜視図である。
【図６】本発明の実施の形態１に係る照明装置の光源ユニットの分解斜視図である。
【図７】本発明の実施の形態１に係る照明装置の光源ユニットの断面図である。
【図８】本発明の実施の形態１に係る照明装置の連結金具の斜視図である。
【図９】本発明の実施の形態１に係る照明装置の光源ユニットの配光特性を示す図である。
【図１０】本発明の実施の形態２に係る照明装置の光源ユニットの分解斜視図である。
【図１１】本発明の実施の形態２に係る照明装置の光源ユニットの断面図である。
【図１２】本発明の実施の形態２に係る照明装置の光源ユニットの配光特性を示す図である。
【図１３】本発明の実施の形態２に係る照明装置の光源ユニットの変形例を示す図である。
【図１４】本発明の実施の形態２に係る照明装置の光源ユニットの図１３の変形例が装置本体に取り付けられている状態を示す図である。
【図１５】本発明の実施の形態２に係る照明装置の光源ユニットの図１３の変形例が取り付けられた装置本体が被取付部に取り付けられている状態を示す図である。
【図１６】本発明の実施の形態３に係る照明装置の光源ユニットの分解斜視図である。
【図１７】本発明の実施の形態３に係る照明装置の光源ユニットの断面図である。
【図１８】本発明の実施の形態３に係る照明装置の光源ユニットの配光特性を示す図である。
【発明を実施するための形態】
【０００９】
以下、本発明における照明装置１について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は、本発明の実施の形態１に係る照明装置の斜視図である。図２は、本発明の実施の形態１に係る照明装置の分解斜視図である。図１及び図２を参照して照明装置１の各部の構成を説明する。なお、以下の説明において、長手方向を長手方向Ｘ、長手方向Ｘに対する短手方向を短手方向Ｙとし、長手方向Ｘ及び短手方向Ｙのそれぞれに直交する方向を上下方向Ｚとする。また、照明装置１が取り付けられる天井などの被取付面側を上方向Ｚ１とし、上方向Ｚ１と反対側であり照明装置１が照射する側を下方向Ｚ２とする。
【００１１】
照明装置１は、長尺状の装置本体１００と、装置本体１００に着脱可能に取り付けられる長尺状の光源ユニット２００とを備えている。装置本体１００には、光源ユニット２００の一部が収容される収容凹部１１１が形成されている。
【００１２】
図３は、本発明の実施の形態１に係る照明装置の装置本体の斜視図である。図４は、本発明の実施の形態１に係る照明装置の図１におけるＡ−Ａ′断面図である。図２〜図４を参照して、装置本体１００の各部の構成を説明する。
【００１３】
装置本体１００は、光源ユニット２００の一部が挿入されて取り付けられる取付部１１０と、取付部１１０の長手端部を覆う側板１２０と、装置本体１００の外部から引き込まれた図示しない電源線が挿し込まれる端子台１３０と、光源ユニット２００を保持する為のバネ１４０とを備えている。なお、装置本体１００は、ボルトなどの固定具を用いて天井などの被取付部に取り付けられるものである。
【００１４】
取付部１１０は、長手方向Ｘに沿って凹部として構成された収容凹部１１１と、短手方向Ｙにおいて収容凹部１１１の両側に設けられる鍔部１１２及び傾斜部１１３とを備えている。
【００１５】
収容凹部１１１は、長手方向Ｘに沿って長尺且つ矩形板状に形成された底部１１１ａと、底部１１１ａの長手側辺のそれぞれから下側（Ｚ２側）へ延出する一対の側部１１１ｂとを有することで凹形状をなし、光源ユニット２００の一部を収納する。収容凹部１１１は、底部１１１ａと対向する位置に光源ユニット２００が挿入される開口１１１ｃが形成される。
【００１６】
底部１１１ａには、商用電源から電力供給を受けるための図示しない電源線を引き込むための電源引込孔１１１ａａと、ボルトなどの固定具により装置本体１００を天井などの被取付部へ固定する為の固定孔１１１ａｂとが形成されている。
【００１７】
鍔部１１２は、一対の側部１１１ｂの開口１１１ｃ側の長手側辺のそれぞれから互いに離れるように対に形成されている。
【００１８】
傾斜部１１３は、短手方向Ｙにおいて収容凹部１１１の両側に設けられており、鍔部１１２の長手側辺のそれぞれから、上側（Ｚ１側）へ且つ収容凹部１１１から離れるように形成されている。
【００１９】
側板１２０は、長手方向Ｘにおける取付部１１０の両端に配設されており、収容凹部１１１及び傾斜部１１３を覆っている。側板１２０は、収容凹部１１１及び傾斜部１１３の長手方向Ｘの端部を覆う側板本体部１２１と、側板本体部１２１の下側（Ｚ２側）の側辺から側板本体部１２１に対して略垂直になるように突出した側板鍔部１２２とを有している。側板１２０は、側板鍔部１２２が開口１１１ｃの端部を覆うように取付部１１０に配設されており、側板鍔部１２２は鍔部１１２と併設している。
【００２０】
端子台１３０は、収容凹部１１１の底部１１１ａに固定されており、電源引込孔１１１ａａから引き込まれた図示しない電源線と接続し、商用電源から供給される電力を光源ユニット２００に供給する。端子台１３０は、矩形箱状に形成された端子台本体部１３１と、光源ユニット２００に電気的に接続する為の端子台接続部１３２とを備えている。端子台接続部１３２は、端子台電線１３２ａと、端子台電線１３２ａの先端に設けられた端子台コネクタ１３２ｂとを備えている。
【００２１】
図２及び図３に記載のバネ１４０は、収容凹部１１１の底部１１１ａに、長手方向Ｘに沿って対になるよう２つ配設されている。バネ１４０は、光源ユニット２００を装置本体１００に取り付けるための取付機構の１つであり、図２に記載の連結金具２６０と係合するものである。
【００２２】
図５は、本発明の実施の形態１に係る照明装置に使用されるバネの斜視図である。バネ１４０は、ステンレス材料や、バネ鋼材などの弾性材料で形成される。バネ１４０は、底部１１１ａに固定されるバネ固定部１４１と、円弧形状をしたバネ円弧部１４２と、バネ円弧部１４２の先端に設けられ連結金具２６０に引掛けられるバネ先端部１４３とが設けられている。また、対になるバネ１４０は、バネ先端部１４３が互いに反対方向を向くように底部１１１ａに配設されている。なお、バネ１４０は、板材の弾性材料を曲げて形成しても良く、線材の弾性材料を曲げて形成しても良い。
【００２３】
図６は、本発明の実施の形態１に係る照明装置の光源ユニットの分解斜視図である。図７は、本発明の実施の形態１に係る照明装置の光源ユニットの断面図である。図６及び図７を参照して、光源ユニット２００の各部の構成を説明する。
【００２４】
光源ユニット２００は、複数の発光素子を有する発光体２１０と、この発光体２１０が取り付けられるフレーム部材２２０と、発光体２１０を覆うようにしてフレーム部材２２０に取り付けられるカバー部材２３０とを備えている。また、光源ユニット２００は、光源ユニット２００の長手方向Ｘの端部に配設される蓋２４０と、発光体２１０に所定の点灯電力を供給する図２及び図４に示す電源装置２５０と、バネ１４０と係合する図２に示す連結金具２６０とを備えている。
【００２５】
発光体２１０は、長手方向Ｘに沿って長尺に形成された基板２１１と、基板２１１に長手方向Ｘに沿って直線状に実装される複数の発光素子２１２とを備えている。発光素子２１２は、短手方向Ｙにおいて２つ設けられている。この短手方向Ｙにおいて配置される位置は、発光素子２１２の中心から基板２１１の中心までの距離が発光素子２１２の中心から基板２１１端部までの距離より長くなるように配置されている。また、発光体２１０の長手方向の一端部には、電源装置２５０との間を電気的に接続するための図示しない電線が接続されている。この電線が電源装置２５０に接続することで、発光体２１０と電源装置２５０とが電気的に接続される。なお、発光素子２１２は、例えば表面実装タイプのＬＥＤ素子であるが、ＣＯＢ型のＬＥＤモジュールでも良い。また、発光素子２１２は、固体レーザ素子、半導体レーザ素子、有機ＥＬ素子でも良い。
【００２６】
フレーム部材２２０は、長手方向Ｘに沿って長尺且つ矩形板状に形成されたフレーム底部２２１と、フレーム底部２２１からカバー部材２３０側に突出する補強部２２５とを有する。補強部２２５は、フレーム底部２２１の長手方向の対向する側辺のそれぞれからカバー部材２３０側、すなわち下側（Ｚ２側）へ延びる一対のフレーム起立部２２２と、それぞれのフレーム起立部２２２の先端から互いに離れる方向に形成されたフレーム傾斜部２２３とを備えている。フレーム傾斜部２２３は、フレーム底部２２１に対して鋭角に形成されており、すなわち、フレーム起立部２２２側の端部の反対端である先端が上側（Ｚ１側）に向かって形成されている。各フレーム傾斜部２２３の先端には曲げ加工されて形成された傾斜部端部２２３ａがそれぞれ設けられている。フレーム部材２２０は反射部材で形成されているが、反射塗料を用いてもよく、基材に反射部材を配置してもよい。フレーム部材２２０は、平面に形成されているが、凹凸面を形成してもよい。
【００２７】
カバー部材２３０は、発光体２１０を覆うように長尺に形成され、フレーム部材２２０の側端に取り付けられる。カバー部材２３０は、乳白色のアクリル樹脂など拡散性を有する材料により形成され、発光体２１０から照射される光を拡散するものである。カバー部材２３０は、短手方向Ｙにおいて、カバー正面部２３１と、カバー側部２３２と、カバー底部２３３とを有している。
【００２８】
カバー正面部２３１は、円弧形状であり、発光体２１０を覆っている。カバー正面部２３１は、短手方向の断面が円弧形状であるが、他の形状であってもよい。例えば、カバー正面部２３１は、短手方向の断面が、平板形状、三角形状、四角形状、その他の多角形状であっても良い。あるいは、カバー正面部２３１は、単数又は複数の平面から形成される平面形状又は多面体形状であっても良く、単数又は複数の曲面から形成される形状であっても良い。カバー側部２３２は、カバー正面部２３１の長手側端の各端部よりフレーム底部２２１側、すなわち上側（Ｚ１側）に設けられている。カバー底部２３３は、それぞれのカバー側部２３２の長手側端の端部より互いに近づくように形成されている。また、カバー底部２３３は、カバー正面部２３１側へ突出した２つの突起からなるカバー係合部２３３ａが設けられている。なお、カバー部材２３０は、カバー正面部２３１、カバー側部２３２、カバー底部２３３、が長手方向Ｘへ連続するように形成されている。
【００２９】
カバー部材２３０は、カバー底部２３３に設けられたカバー係合部２３３ａをフレーム部材２２０の傾斜部端部２２３ａ、すなわちフレーム部材２２０の長手側端部に係合させることで、フレーム部材２２０に固定される。このとき、フレーム底部２２１と、カバー底部２３３とは併設し、フレーム底部２２１及びカバー底部２３３は、光源ユニット２００の底部を構成するユニット底部２０１となる。また、カバー底部２３３の端部であるユニット底部２０１の両端を繋ぐ、カバー正面部２３１およびカバー側部２３２は、発光素子２１２からの光を出射するユニット出射部２０２となる。カバー部材２３０は、フレーム部材２２０に取り付けられた状態において、カバー部材２３０と、フレーム部材２２０とはユニット底部２０１側で係合している。カバー部材２３０は、短手方向Ｙにおいてはユニット出射部２０２と、フレーム部材２２０の補強部２２５となるフレーム起立部２２２及びフレーム傾斜部２２３とが間隔を設けるように併設されている。なお、ユニット底部２０１は、フレーム底部２２１とカバー底部２３３との間に隙間があっても良く、カバー部材２３０側に窪みがあっても良い。
【００３０】
蓋２４０は、光源ユニット２００の長手方向Ｘにおける端部に設けられ、カバー部材２３０の長手方向Ｘの開口を塞ぐとともに、発光体２１０が照射する光を長手方向Ｘへ配光するものである。蓋２４０は、アクリル樹脂など透過性、拡散性を有する材料により形成されており、カバー部材２３０と接着剤、熱溶着などの接合手段により接合されている。蓋２４０は、カバー部材２３０の端部に設けられており、光源ユニット２００の長手方向Ｘにおける端部となる蓋端面２４１と、蓋２４０の側面となる蓋側面２４２とを有している。
【００３１】
電源装置２５０は、図２及び図４に示すように、フレーム底部２２１の発光体２１０が取り付けられた面の反対側の面に固定される。電源装置２５０は、端子台１３０を介して商用電源からの電力を発光体２１０に供給し、発光体２１０を点灯させるものである。
【００３２】
図８は、本発明の実施の形態１に係る照明装置の連結金具の斜視図である。連結金具２６０は、光源ユニット２００を装置本体１００に取り付ける取付機構の１つであり、バネ１４０と係合するものである。連結金具２６０は、略Ｌ字形状をしており、金具固定部２６１と、バネ連結部２６２とを備えている。金具固定部２６１は、フレーム底部２２１にネジなどで固定される部分である。バネ連結部２６２には、バネ１４０が引っ掛けられる連結開口部２６２ａが形成されている。光源ユニット２００は、連結開口部２６２ａとバネ１４０のバネ先端部１４３とが係合し、装置本体１００に固定される。
【００３３】
（光源ユニット２００の光学特性に関して）
図９は、本発明の実施の形態１に係る照明装置の光源ユニットの配光特性を示す図である。図９を参照して、光源ユニット２００の配光特性に関して説明を行う。発光体２１０の発光素子２１２から発せられる光は光路Ａ、光路Ｂ、光路Ｃに進む光を有している。
【００３４】
光路Ａは、発光素子２１２から発せられる光のうち、直接ユニット出射部２０２方向に進み、ユニット出射部２０２より照射される光の光路である。
【００３５】
光路Ｂは、発光素子２１２から発せられる光のうち、フレーム起立部２２２方向へ進み、フレーム起立部２２２によりカバー部材２３０の短手方向Ｙ方向外側に向って反射され、ユニット出射部２０２より出射する光路である。
【００３６】
光路Ｃは、光路Ａおよび光路Ｂの光のうち、ユニット出射部２０２の内側面で反射された光が、フレーム傾斜部２２３に向って進み、フレーム傾斜部２２３で再度反射され、カバー部材２３０の短手方向Ｙ方向外側に向ってユニット出射部２０２より出射する光路である。
【００３７】
フレーム部材２２０は、フレーム底部２２１からカバー部材２３０側に突出するフレーム起立部２２２及びフレーム傾斜部２２３からなる補強部２２５を有するものである。その結果、フレーム部材２２０は、フレーム底部２２１に対して、長手方向の撓みを抑制できるだけの縦弾性係数を確保することができ、フレーム部材２２０の剛性を確保することができる。その結果、天井からの突出量を低く抑え、薄型化及び小型化されると共に剛性が確保された光源ユニット２００及び照明装置１を提供することができる。
【００３８】
また、光源ユニット２００は、ユニット底部２０１が略平坦に形成されている。そのため、光源ユニット２００が装置本体１００の収容凹部１１１の内側に配置された部材との干渉が抑制されるので、光源ユニット２００の装置本体１００への取り付けを容易に行うことができる。あわせて、照明装置１は、収容凹部１１１の内部空間を有効活用することができる。
【００３９】
さらに、従来の照明装置は、光源ユニットのフレーム側面部分を装置本端の凹部に収容しており、光源ユニットのフレーム側面が装置本端の凹部内に配置された部材および電線などと干渉する場合がある。光源ユニット２００は、ユニット底部２０１が略平坦に形成されているため、装置本体の内部に配置された部材及び電線などと干渉することはない。
【００４０】
また、光源ユニット２００は、フレーム部材２２０の補強部２２５となるフレーム起立部２２２およびフレーム傾斜部２２３が、ユニット出射部２０２との間に間隔を形成するように設けられている。そのため、剛性を確保すると共に、ユニット出射部２０２から光を出射することができる。よって、光源ユニット２００及び照明装置１を小型化・軽量化することができる。
【００４１】
また、天井などの被取付部に直付けする従来の照明装置は、薄型化を求められる傾向にあり、カバーの厚さを薄くして光源ユニットおよび照明装置を薄型化しようとすると、発光素子から照射される光が充分に拡散されずに輝度ムラが発生する場合がある。光源ユニット２００は、フレーム起立部２２２及びフレーム傾斜部２２３からなる光学機能部を設けていることで、カバー部材２３０の内側で光が拡散される。その結果、カバー部材２３０の表面に現れる輝度ムラを抑制することができる。さらに、光源ユニット２００は、光が照射されているときに発光素子２１２の光がカバー部材２３０に表れることによる粒々感を抑制することができる。
【００４２】
実施の形態２．
図１０は、本発明の実施の形態２に係る照明装置の光源ユニットの分解斜視図である。図１１は、本発明の実施の形態２に係る照明装置の光源ユニットの断面図である。図１〜図９の照明装置と同一の構成を有する部位には同一の符号を付してその説明を省略する。本発明の実施の形態２に係る照明装置では、本発明の実施の形態１に係る照明装置の光源ユニット２００と異なる形状である発光体３１０、フレーム部材３２０、カバー部材３３０に関して主に説明をする。
【００４３】
図１０及び図１１を参照して、光源ユニット３００の各部の構成を説明する。光源ユニット３００は、複数の発光素子を有する発光体３１０と、この発光体３１０が取り付けられるフレーム部材３２０と、発光体３１０を覆うようにしてフレーム部材３２０に取り付けられるカバー部材３３０と、を備えている。
【００４４】
発光体３１０は、長手方向Ｘに沿って長尺に形成された基板３１１と、基板３１１に長手方向Ｘに沿って直線状に実装される複数の発光素子３１２とを備えている。
【００４５】
フレーム部材３２０は、長手方向Ｘに沿って長尺且つ矩形板状に形成されたフレーム底部３２１と、フレーム底部３２１からカバー部材３３０側に突出する補強部３２５とを有する。補強部３２５は、フレーム底部３２１の短手方向Ｙにおける略中央よりカバー部材３３０側、すなわち下側（Ｚ２側）へ延びるフレーム起立部３２２を備えている。フレーム底部３２１には、フレーム起立部３２２を挟むように両側に発光体３１０が配置されている。また、フレーム部材３２０は、フレーム底部３２１のフレーム起立部３２２と反対面に設けられたスリット形状をしたフレーム取付部３２３を備えている。フレーム取付部３２３は電源装置２５０を固定する為のネジなど固定具の受け部（例えば、タップ孔の代用）となる。なお、図１１には、フレーム取付部３２３が設けられているが、フレーム取付部３２３の設置は任意である。
【００４６】
カバー部材３３０は、発光体３１０を覆うように長尺に形成されフレーム部材３２０に取り付けられる。カバー部材３３０は、乳白色のアクリル樹脂など拡散性を有する材料により形成され、発光体２１０から照射される光を拡散するものである。カバー部材３３０は短手方向Ｙにおいて、カバー正面部３３１と、カバー側部３３２と、カバー底部３３３とを有している。
【００４７】
カバー正面部３３１は、円弧形状であり、発光体３１０を覆っている。カバー正面部３３１は、短手方向の断面が円弧形状であるが、他の形状であっても良い。例えば、カバー正面部３３１は、短手方向の断面が、平板形状、三角形状、四角形状、その他の多角形状であっても良い。あるいは、カバー正面部３３１は、単数又は複数の平面から形成される平面形状又は多面体形状であっても良く、単数又は複数の曲面から形成される形状であっても良い。カバー側部３３２は、カバー正面部３３１の各端部よりフレーム底部３２１側、すなわち上側（Ｚ１側）に設けられている。カバー底部３３３は、それぞれのカバー側部３３２の長手側端の端部より互いに近づくように形成されている。また、カバー底部３３３は、カバー正面部３３１側へ突出した突起形状であるカバー係合部３３３ａが設けられている。なお、カバー部材３３０は、カバー正面部３３１、カバー側部３３２、カバー底部３３３、が長手方向Ｘへ連続するように形成されている。
【００４８】
カバー部材３３０は、カバー底部３３３及びカバー係合部３３３ａがフレーム部材３２０のフレーム底部３２１に当接するように、フレーム部材３２０に固定される。このとき、フレーム底部３２１と、カバー底部３３３とは併設し、フレーム底部３２１及びカバー底部３３３は、光源ユニット３００の底部を構成するユニット底部３０１となる。また、カバー底部３３３の端部であるユニット底部３０１の両端を繋ぐカバー正面部３３１及びカバー側部３３２は、発光素子３１２からの光を出射するユニット出射部３０２となる。さらに、カバー部材３３０はフレーム部材３２０に取り付けられた状態において、カバー部材３３０と、フレーム部材３２０とはユニット底部３０１側で係合している。カバー部材３３０は、短手方向Ｙにおいてはユニット出射部３０２と、フレーム部材３２０の補強部３２５となるフレーム起立部３２２とが間隔を設けるように併設されている。
【００４９】
（光源ユニット３００の光学特性に関して）
図１２は、本発明の実施の形態２に係る照明装置の光源ユニットの配光特性を示す図である。図１２を参照して、光源ユニット３００の配光特性に関して説明を行う。発光体３１０の発光素子３１２から発せられる光は光路Ａ、光路Ｂに進む光を有している。
【００５０】
光路Ａは、発光素子３１２から発せられる光のうち、直接ユニット出射部３０２方向に進み、ユニット出射部３０２より照射される光の光路である。
【００５１】
光路Ｂは、発光素子３１２から発せられる光の内、フレーム起立部３２２方向へ進み、フレーム起立部３２２によりカバー部材３３０の短手方向Ｙ方向外側に向って反射され、ユニット出射部３０２より出射する光路である。
【００５２】
また、フレーム起立部３２２のフレーム底部３２１からの突設高さは、光路Ａの光で光路Ｂとの境界となる光路Ａが、カバー正面部３３１の短手方向Ｙ中心を越えた箇所を通るように形成されている。
【００５３】
フレーム部材３２０は、フレーム底部３２１からカバー部材３３０側に突出するフレーム起立部３２２からなる補強部３２５を有するものである。その結果、フレーム部材３２０は、フレーム底部３２１に対して、長手方向の撓みを抑制できるだけの縦弾性係数を確保することができ、フレーム部材３２０の剛性を確保することができる。その結果、天井からの突出量を低く抑え、薄型化及び小型化されると共に剛性が確保された光源ユニット３００及び照明装置１を提供することができる。
【００５４】
また、光源ユニット３００は、ユニット底部３０１が略平坦に形成されている。そのため、光源ユニット３００が装置本体１００の収容凹部１１１の内側に配置された部材との干渉が抑制されるので、光源ユニット３００の装置本体１００への取り付けを容易に行うことができる。あわせて、照明装置１は、収容凹部１１１の内部空間を有効活用することができる。さらに、光源ユニット３００は、ユニット底部３０１が略平坦に形成されているため、装置本体の内部に配置された部材及び電線などと干渉することはない。
【００５５】
また、光源ユニット３００は、フレーム部材３２０の補強部３２５となるフレーム起立部３２２が、ユニット出射部３０２との間に間隔を形成するように設けられている。そのため、剛性を確保すると共に、ユニット出射部３０２から光を出射することができる。よって、光源ユニット３００及び照明装置１を小型化・軽量化することができる。
【００５６】
また、天井などの被取付部に直付けする従来の照明装置は、薄型化を求められる傾向にあり、カバーの厚さを薄くして光源ユニットおよび照明装置を薄型化しようとすると、発光素子から照射される光が充分に拡散されずに輝度ムラが発生する場合がある。光源ユニット３００は、フレーム部材３２０が、フレーム底部３２１の短手方向Ｙ中央部から突出したフレーム起立部３２２からなる光学機能部を有している。フレーム起立部３２２への反射を利用することで、発光体３１０の発光素子３１２から発せられる光が、光路Ａ、光路Ｂに進む。その結果、カバー部材３３０の内側で光が拡散され、カバー部材３３０の表面に現れる輝度ムラを抑制することができる。さらに、光が照射されているときに発光素子２１２の光がカバー部材３３０に表れることによる粒々感を抑制することができる。
【００５７】
図１３は、本発明の実施の形態２に係る照明装置の光源ユニットの変形例を示す図である。図１４は、本発明の実施の形態２に係る照明装置の光源ユニットの図１３の変形例が装置本体に取り付けられている状態を示す図である。図１５は、本発明の実施の形態２に係る照明装置の光源ユニットの図１３の変形例が取り付けられた装置本体が被取付部に取り付けられている状態を示す図である。次に、本発明の実施の形態２の変形例を図１３〜図１５を用いて説明を行なう。図１３に示すように、光源ユニット３００Ａは、フレーム部材３２０Ａが、補強部３２５Ａを有し、補強部３２５Ａは、フレーム収容部３４０を設けるように延びるフレーム起立部３２２Ａを有している。フレーム起立部３２２Ａは、フレーム底部３２１Ａに形成された凹部として構成されている。
【００５８】
このフレーム収容部３４０は、図１４に示すように電源装置３５０を収容することができる。また、フレーム収容部３４０は、フレーム収容部３４０の電源装置３５０が収容されない箇所に関しては電源装置３５０と発光体３１０とを接続する電線などを配置することができる。
【００５９】
フレーム収容部３４０は、凹部として構成されており、上側（Ｚ１側）が開口している。フレーム収容部３４０は、蓋３５１などを用いてフレーム収容部３４０の開口を塞いでも良い。フレーム収容部３４０の開口を塞ぐことで、光源ユニット３００Ａが装置本体１００に取り付けられたときに、装置本体１００に配置された部材により電源装置３５０および電線が損傷することを防ぐことができる。
【００６０】
また、フレーム収容部３４０に電源装置３５０等を収容することで、装置本体１００の収容凹部１１１の内部空間に配置される部材が減少し、光源ユニット３００Ａの装置本体１００への取り付けが容易になる。
【００６１】
また、フレーム収容部３４０の細長の電源装置３５０を収容することで、光源ユニット３００Ａは電源装置３５０の外郭ケースが補強部材となりさらに剛性を得ることができる。
【００６２】
また、光源ユニット３００をより長尺に形成するときには、フレーム収容部３４０に補強部材を配設しても良く、複数のフレーム部材３２０を連結する為の連結部材を配設しても良い。フレーム収容部３４０に補強部材又は連結部材を配設することで、光源ユニット３００Ａはさらに剛性を得ることができる。
【００６３】
また、図１５に示すように、装置本体１００を被取付部３６０に固定する為のボルトなどの固定具３７０が、フレーム収容部３４０に挿入されても良い。固定具３７０がフレーム収容部３４０に挿入可能にすることで、固定具３７０の寸法公差の許容範囲が大きくなり、照明装置１の施工を容易にすることができる。
【００６４】
実施の形態３．
図１６は、本発明の実施の形態３に係る照明装置の光源ユニットの分解斜視図である。図１７は、本発明の実施の形態３に係る照明装置の光源ユニットの断面図である。図１〜図１５の照明装置と同一の構成を有する部位には同一の符号を付してその説明を省略する。本発明の実施の形態３に係る照明装置の光源ユニット４００は、フレームの小型化・軽量化を計ったものである。本発明の実施の形態１及び実施の形態２に係る照明装置の光源ユニット２００、３００と異なる形状であるフレーム部材４２０及びカバー部材４３０に関して主に説明をする。
【００６５】
図１６及び図１７を参照して、光源ユニット４００の各部の構成を説明する。光源ユニット４００は、複数の発光素子を有する発光体４１０と、この発光体４１０が取り付けられるフレーム部材４２０と、発光体４１０を覆うようにしてフレーム部材４２０に取り付けられるカバー部材４３０と、を備えている。
【００６６】
発光体４１０は、長手方向Ｘに沿って長尺に形成された基板４１１と、基板４１１に長手方向Ｘに沿って直線状に実装される複数の発光素子４１２とを備えている。
【００６７】
フレーム部材４２０は、長手方向Ｘに沿って長尺且つ矩形板状に形成されたフレーム底部４２１と、フレーム底部４２１からカバー部材４３０側に突出する補強部４２５とを有する。補強部４２５は、フレーム底部４２１の短手方向Ｙの端部それぞれより互いに離れるように形成されたフレーム起立部４２２を有している。フレーム起立部４２２は反射機能の役割もしており、フレーム起立部４２２が反射機能を有することで発光効率を向上することができる。
【００６８】
カバー部材４３０は、発光体４１０を覆うように長尺に形成されフレーム部材４２０に取り付けられる。カバー部材４３０は、乳白色のアクリル樹脂など拡散性を有する材料により形成され、発光体４１０から照射される光を拡散するものである。カバー部材４３０は短手方向Ｙにおいて、カバー正面部４３１と、カバー側部４３２と、カバー底部４３３と、内側カバー部４３４とを有している。
【００６９】
カバー正面部４３１は、短手方向の断面が円弧形状であるが、他の形状であっても良い。例えば、カバー正面部４３１は、短手方向の断面が、平板形状、三角形状、四角形状、その他の多角形状であっても良い。あるいは、カバー正面部４３１は、単数又は複数の平面から形成される平面形状又は多面体形状であっても良く、単数又は複数の曲面から形成される形状であっても良い。カバー側部４３２は、カバー正面部４３１の各端部よりフレーム底部４２１側、すなわち上側（Ｚ１側）に設けられている。カバー底部４３３は、それぞれのカバー側部４３２の長手側端の端部より互いに近づくように形成されている。内側カバー部４３４は、対なるカバー底部４３３をつなぐように形成されているとともに、発光体４１０と対向する。内側カバー部４３４は、短手方向の断面が円弧形状であるが、他の形状であっても良い。例えば、内側カバー部４３４は、短手方向の断面が、平板形状、三角形状、四角形状、その他の多角形状であっても良い。あるいは、内側カバー部４３４は、単数又は複数の平面から形成される平面形状又は多面体形状であっても良く、単数又は複数の曲面から形成される形状であっても良い。カバー底部４３３と内側カバー部４３４との間にはフレーム起立部４２２が挿し込まれるカバー係合部４３３ａが設けられている。なお、カバー部材４３０は、カバー正面部４３１、カバー側部４３２、カバー底部４３３、内側カバー部４３４が長手方向Ｘへ連続するように形成されている。
【００７０】
図１７に示すように、カバー部材４３０は、カバー係合部４３３ａにフレーム部材４２０のフレーム起立部４２２の端部が挿し込まれ、フレーム部材４２０に固定される。このとき、フレーム底部４２１と、カバー底部４３３とは併設し、フレーム底部４２１及びカバー底部４３３は、光源ユニット３００の底部を構成するユニット底部４０１となる。また、カバー底部４３３の端部であるユニット底部４０１の両端をつなぐカバー正面部４３１およびカバー側部４３２は、発光素子４１２からの光を出射するユニット出射部４０２となる。カバー部材４３０は、このユニット出射部４０２と内側カバー部４３４とが当接しないように形成されており、ユニット出射部４０２と内側カバー部４３４との間に間隔が設けられている。また、ユニット出射部４０２は透過性能が高く形成されており、内側カバー部４３４は拡散性能が高く形成されている。
【００７１】
（光源ユニット４００の光学特性に関して）
図１８は、本発明の実施の形態３に係る照明装置の光源ユニットの配光特性を示す図である。図１８を参照して、光源ユニット４００の配光特性に関して説明を行う。発光体４１０の発光素子４１２から発せられる光は、内側カバー部４３４において拡散され広角に配光制御される。この配光制御された光はユニット出射部４０２より出射される。
【００７２】
光源ユニット４００は、カバー部材４３０が二重構造に形成されていることで、内側カバー部４３４が補強部材となる。そのため、カバー部材４３０の剛性が向上し、光源ユニット４００の剛性を確保することができる。その結果、フレーム部材４２０は簡易な構成にすることができ、光源ユニット４００及び照明装置１を小型化・軽量化することができる。
【００７３】
また、内側カバー部４３４で光が拡散される。その結果、光源ユニット４００及び照明装置１は、小型化・軽量化されてもカバー部材４３０の表面に現れる輝度ムラを抑制することができる。さらに、光が照射されているときに発光素子４１２の光がカバー部材４３０に表れることによる粒々感を抑制することができる。
【００７４】
なお、本発明の実施の形態は、上記実施の形態１〜３に限定されない。例えば、本発明の実施の形態１に係る照明装置の光源ユニット２００において、発光素子２１２は、短手方向Ｙにおいては２つ設けられているが、２つに限らず１つであってもよいし、３つ以上であってもよい。また、カバー部材２３０とフレーム部材２２０の係合手段は一例であり、配光特性を損なわないものであればどのようなものでもよい。例えば、カバー底部２３３は、カバー正面部２３１側へ突出した２つの突起からなるカバー係合部２３３ａが設けられているが、カバー係合部２３３ａは、カバー正面部２３１側へ突出した１つの突起であってもよい。
【００７５】
また、本発明の実施の形態３に係る照明装置の光源ユニット４００において、カバー部材４３０は二色成形方法により一体に形成しても良く、別々の部材を接続し形成するような構成でも良い。また、ユニット出射部４０２にも拡散性能をもたせ、二層にわたり拡散させるような構成であっても良い。
【符号の説明】
【００７６】
１  照明装置、１００  装置本体、１１０  取付部、１１１  収容凹部、１１１ａ  底部、１１１ａａ  電源引込孔、１１１ａｂ  固定孔、１１１ｂ  側部、１１１ｃ  開口、１１２  鍔部、１１３  傾斜部、１２０  側板、１２１  側板本体部、１２２  側板鍔部、１３０  端子台、１３１  端子台本体部、１３２  端子台接続部、１３２ａ  端子台電線、１３２ｂ  端子台コネクタ、１４０  バネ、１４１  バネ固定部、１４２  バネ円弧部、１４３  バネ先端部、２００  光源ユニット、２０１  ユニット底部、２０２  ユニット出射部、２１０  発光体、２１１  基板、２１２  発光素子、２２０  フレーム部材、２２１  フレーム底部、２２２  フレーム起立部、２２３  フレーム傾斜部、２２３ａ  傾斜部端部、２２５  補強部、２３０  カバー部材、２３１  カバー正面部、２３２  カバー側部、２３３  カバー底部、２３３ａ  カバー係合部、２４０  蓋、２４１  蓋端面、２４２  蓋側面、２５０  電源装置、２６０  連結金具、２６１  金具固定部、２６２  バネ連結部、２６２ａ  連結開口部、３００  光源ユニット、３００Ａ  光源ユニット、３０１  ユニット底部、３０２  ユニット出射部、３１０  発光体、３１１  基板、３１２  発光素子、３２０  フレーム部材、３２０Ａ  フレーム部材、３２１  フレーム底部、３２１Ａ  フレーム底部、３２２  フレーム起立部、３２２Ａ  フレーム起立部、３２３  フレーム取付部、３２５  補強部、３２５Ａ  補強部、３３０  カバー部材、３３１  カバー正面部、３３２  カバー側部、３３３  カバー底部、３３３ａ  カバー係合部、３４０  フレーム収容部、３５０  電源装置、３５１  蓋、３６０  被取付部、３７０  固定具、４００  光源ユニット、４０１  ユニット底部、４０２  ユニット出射部、４１０  発光体、４１１  基板、４１２  発光素子、４２０  フレーム部材、４２１  フレーム底部、４２２  フレーム起立部、４２５  補強部、４３０  カバー部材、４３１  カバー正面部、４３２  カバー側部、４３３  カバー底部、４３３ａ  カバー係合部、４３４  内側カバー部。
【図１】
0006723083.tif 000002
【図２】
0006723083.tif 000003
【図３】
0006723083.tif 000004
【図４】
0006723083.tif 000005
【図５】
0006723083.tif 000006
【図６】
0006723083.tif 000007
【図７】
0006723083.tif 000008
【図８】
0006723083.tif 000009
【図９】
0006723083.tif 000010
【図１０】
0006723083.tif 000011
【図１１】
0006723083.tif 000012
【図１２】
0006723083.tif 000013
【図１３】
0006723083.tif 000014
【図１４】
0006723083.tif 000015
【図１５】
0006723083.tif 000016
【図１６】
0006723083.tif 000017
【図１７】
0006723083.tif 000018
【図１８】
0006723083.tif 000019